(57)【要約】【課題】対象物のインピーダンスに基づいて対象物の水分率を測定する水分計を、対象物の深い部分の水分率を測定できるように改良する。【解決手段】水分率のセンシングを行うセンサ部は、正電圧電極２２３と、負電圧電極２２４を備えており、正電圧電極２２３と負電圧電極２２４の間に所定の電圧をかけることで、対象物内のインピーダンスが測定されるようになっている。センサ部にはまた、対象物にＮ極が接する第１磁石と対象物にＳ極が接する第２磁石が設けられており、前者のＮ極から後者のＳ極に向かう磁力線Ｂは、正電圧電極２２３から負電圧電極２２４に向かう電流Ｉを左から貫く。それにより電流には対象物の深い方に向かうローレンツ力Ｆが働くので、対象物内の深い部分のインピーダンスが測定可能となる。【選択図】図７
2016063860.tif 000002
【特許請求の範囲】
【請求項１】
水分率の測定対象となる対象物にそれぞれ当接させられるものであり、両者の間のインピーダンスを測定できる２つで一組の電圧電極である、正電圧電極及び負電圧電極を備えており、前記正電圧電極と前記負電圧電極を用いて測定される、前記正電圧電極と前記負電圧電極の間における前記対象物のインピーダンスに基づいて、前記対象物の水分率を測定するようになっている水分計であって、
前記対象物の内部を前記正電圧電極から前記負電圧電極に流れる電流に、当該電流が前記対象物のより深い方向に向かう方向の力を与えるような方向の磁力線を前記対象物の内部に発生させる磁力発生手段を備えている、
水分計。
【請求項２】
前記磁力発生手段は、前記対象物の内部に、前記対象物を平面視した場合に、前記正電圧電極から前記負電圧電極に向かう線の中程で当該線に右から直交する方向の磁力線を発生させるようになっている、
請求項１記載の水分計。
【請求項３】
前記磁力発生手段は２つの永久磁石である第１磁石と第２磁石とからなり、前記第１磁石のＮ極と、前記第２磁石のＳ極とを前記対象物に当接させることで、前記Ｎ極から前記Ｓ極へと向かう磁力線が前記対象物の中に発生するようになっている、
請求項１又は２記載の水分計。
【請求項４】
前記対象物に当接させられるものであり、両者の間で交流電流を流す２つで一組の電流電極を備えている、
請求項１記載の水分計。
【請求項５】
前記磁力発生手段は永久磁石であり、
前記対象物の水分率を測定するために用いられる前記対象物のインピーダンスは、前記電流電極間を流れる前記交流電流が、前記磁力発生手段から前記対象物のより深い方向に向かう方向の力を受けているときの前記インピーダンスのみとされるようになっている、
請求項４記載の水分計。
【請求項６】
前記磁力発生手段は、前記電流電極間を流れる交流電流と同期させられた交流電流によって前記電流電極間を流れる交流電流に前記対象物のより深い方向に向かう方向の力を常に与えるような磁力を発生させるようになっている電磁石である、
請求項４記載の水分計。
【請求項７】
前記正電圧電極と、前記負電圧電極とは一体とされており、両者を同時に対象物に当接させられるようになっている、
請求項１〜３のいずれかに記載の水分計。
【請求項８】
前記第１磁石と、前記第２磁石とは一体とされており、前記第１磁石のＮ極と、前記第２磁石のＳ極とを同時に対象物に当接させられるようになっている、
請求項３記載の水分計。
【請求項９】
前記正電圧電極と、前記負電圧電極と、２つの前記電流電極とは一体とされており、前記正電圧電極と、前記負電圧電極と、２つの前記電流電極とを同時に対象物に当接させられるようになっている、
請求項４記載の水分計。
【請求項１０】
前記正電圧電極と、前記負電圧電極と、前記第１磁石と、前記第２磁石とは一体とされており、前記正電圧電極と、前記負電圧電極と、前記第１磁石のＮ極と、前記第２磁石のＳ極とを同時に対象物に当接させられるようになっている、
請求項３記載の水分計。
【請求項１１】
前記正電圧電極と、前記負電圧電極と、２つの前記電流電極との対象物に接触する面は、面一となっている、
請求項９記載の水分計。
【請求項１２】
前記正電圧電極と、前記負電圧電極と、前記第１磁石のＮ極と、前記第２磁石のＳ極との対象物に接触する面は、面一となっている、
請求項１０記載の水分計。
【請求項１３】
前記対象物に当接させられるものであり、両者の間で交流電流を流す２つで一組の電流電極を備えているとともに、
前記正電圧電極と、前記負電圧電極と、前記第１磁石と、前記第２磁石と、２つの前記電流電極とは一体とされており、前記正電圧電極と、前記負電圧電極と、前記第１磁石のＮ極と、前記第２磁石のＳ極と、２つの前記電流電極とを同時に対象物に当接させられるようになっている、
請求項３記載の水分計。
【請求項１４】
前記正電圧電極と、前記負電圧電極と、前記第１磁石のＮ極と、前記第２磁石のＳ極と、２つの前記電流電極との対象物に接触する面は、面一となっている、
請求項１２記載の水分計。
【請求項１５】
水分率の測定対象となる対象物にそれぞれ当接させられるものであり、両者の間のインピーダンスを測定できる２つで一組の電圧電極である、正電圧電極及び負電圧電極を備えており、前記正電圧電極と前記負電圧電極を用いて測定される、前記正電圧電極と前記負電圧電極の間における前記対象物のインピーダンスに基づいて、前記対象物の水分率を測定する方法であって、
前記対象物の内部を前記正電圧電極から前記負電圧電極に流れる電流に、当該電流が前記対象物のより深い方向に向かう方向の力を与えるような方向の磁力線を前記対象物の内部に発生させた状態で、前記対象物の水分率を測定する、
方法。
【発明の詳細な説明】
【技術分野】
【０００１】
本発明は、水分計に関する。
【背景技術】
【０００２】
ある対象物に含まれた水分の比率である水分率を測定したい、という要求がある。例えば、人の体内の水分率が判れば、脱水症状が起きているか否か、或いは起きそうか否かを判断することができる。その他、食品や、工業製品の水分率を測定したいという要求もある。
【０００３】
そのような用途で水分計が開発され、実用されている。
対象物の水分率を測定するための原理には様々なものがある。例えば、対象物の電気容量に基づいて水分率を求める、対象物に照射したマイクロ波の減衰の程度に基づいて水分率を求める、対象物のインピーダンスの変化に基づいて水分率を求める等が水分計の原理として知られている。
本願出願人は、水分計の様々な用途のうち、人の体内の水分率を測定することは除外できないと考えている。そしてそのような観点からすると、水分計には、例えば屋外での使用も可能な程度に、できれば可搬な程度に小型化できること、また、測定に時間がかからないことは必須である。
そうすると、対象物のインピーダンスの変化に基づいて水分率を測定するものがそのような条件を充足し易い。そのような水分計は、例えば、水分率の測定対象となる対象物にそれぞれ当接させられるものであり、両者の間のインピーダンスを測定できる２つで一組の電圧電極である、正電圧電極及び負電圧電極を備えており、正電圧電極と負電圧電極を用いて測定される、正電圧電極と負電圧電極の間における対象物のインピーダンスに基づいて、対象物の水分率を測定するようになっているのが通常である。
【発明の概要】
【発明が解決しようとする課題】
【０００４】
小型化、測定の短時間化の条件を満たす、対象物のインピーダンスに基づいて対象物の水分率を測定する上述の如き水分計は、有用なものであると言える。
しかしながら、対象物のインピーダンスに基づいて対象物の水分率を測定する水分計はその原理上一般に、正電圧電極と、負電圧電極とを、対象物の中に深く差込まない限り、対象物の極めて表面に近い範囲（例えば、１ｍｍ程度）の水分率しか測定できない。人体が対象物である場合、正電圧電極と、負電圧電極とを、対象物の中に差込むことは不可能であるから、人体が対象物である場合には、対象物のインピーダンスに基づいて対象物の水分率を測定する水分計は通常、皮膚の表面の極近い部分の水分率しか測定できない。
例えば、脱水症状が生じているか否かの判定のためには、対象物としての人体のより深い範囲での水分率の測定ができた方が良いのは自明である。また、皮膚の表面の極近い部分の水分率しか測定できないと、汗により皮膚の表面が湿っているか否かにより、対象物たる人体の水分率の測定結果に誤差が生じるおそれもある。そして、このような事態は、対象物が人体でない場合にも生じうる。
そのような事態を解消するには、対象物のインピーダンスに基づいて対象物の水分率を測定する水分計を、対象物の深い部分の水分率を測定できるように改良する必要があるが、今のところそのような水分計は知られていない。
【０００５】
本願は、対象物のインピーダンスに基づいて対象物の水分率を測定する水分計を、対象物の深い部分の水分率を測定できるように改良することをその課題とする。
【課題を解決するための手段】
【０００６】
本願発明者は、上述の課題を解決するために、以下のような発明を提案する。
本願発明は、水分率の測定対象となる対象物にそれぞれ当接させられるものであり、両者の間のインピーダンスを測定できる２つで一組の電圧電極である、正電圧電極及び負電圧電極を備えており、前記正電圧電極と前記負電圧電極を用いて測定される、前記正電圧電極と前記負電圧電極の間における前記対象物のインピーダンスに基づいて、前記対象物の水分率を測定するようになっている水分計である。
そしてこの水分計は、前記対象物の内部を前記正電圧電極から前記負電圧電極に流れる電流に、当該電流が前記対象物のより深い方向に向かう方向の力を与えるような方向の磁力線を前記対象物の内部に発生させる磁力発生手段を備えている。
磁界の中を電流が流れるとき、その電流にはその磁界と直交する方向の力（ローレンツ力）がはたらくことがよく知られている。本願の水分計は、上述の如き磁力発生手段を備えている。この磁力発生手段が、対象物の内部を正電圧電極から負電圧電極に流れる電流に、対象物のより深い方向に向かうローレンツ力を加える向きの磁力線を発生させることにより、電流を対象物のより深い部分で流すことが可能となるから、本願の水分計によれば、正電圧電極と、負電圧電極とを対象物に差込むことなしに、対象物のより深い部分の水分率を測定できるようになる。
【０００７】
磁力発生手段は、上述のように、対象物の内部を正電圧電極から負電圧電極に流れる電流に、当該電流が対象物のより深い方向に向かう方向の力を与えるような方向の磁力線を対象物の内部に発生させるようになっている。前記磁力発生手段は、前記対象物の内部に、前記対象物を平面視した場合に、前記正電圧電極から前記負電圧電極に向かう線の中程で当該線に右から直交する方向の磁力線を発生させるようになっていても良い。このような向きの磁力線を発生させれば、対象物の内部を正電圧電極から負電圧電極に流れる電流に、対象物のより深い方向に向かうローレンツ力を加えられるようになる。このような向きの磁力線を発生させられるのであれば、磁力発生手段は他の向きの磁力線をも発生させるようになっていても良い。
【０００８】
前記磁力発生手段は、例えば永久磁石であっても良い。また、電磁石であっても良い。
前記磁力発生手段は、２つの永久磁石である第１磁石と第２磁石とからなっても良い。
前記磁力発生手段が２つの永久磁石である第１磁石と第２磁石とからなる場合、前記磁力発生手段は、前記第１磁石のＮ極と、前記第２磁石のＳ極とを前記対象物に当接させることで、前記Ｎ極から前記Ｓ極へと向かう磁力線が前記対象物の中に発生するようになっていても良い。
第１磁石と第２磁石を、それらのＮ極と、Ｓ極とが、正電圧電極と負電圧電極とを結ぶ直線を挟む位置で対象物の表面に接触するように配置することによって、対象物を平面視した場合に、正電圧電極から負電圧電極に向かう線の中程で当該線に左から直交する方向の磁力線を発生させることが可能となる。
【０００９】
本願の水分計は、前記対象物に当接させられるものであり、両者の間で交流電流を流す２つで一組の電流電極を備えていても良い。
対象物のインピーダンスを測定する場合には、インピーダンスを測定する正電圧電極と負電圧電極とが最低限必要となる。それに加えて、電流電極が存在すると、インピーダンスの測定を安定して行うことができるようになる。直流電流のみを対象物に流すと電圧電極と対象物（例えば皮膚）との間で分極が発生し、電圧電極での測定値にノイズが乗るようになるが、交流電流を流すことによってそれを防ぐことが可能となる。電流電極が存在する場合は、いわゆる４電極法で対象物のインピーダンスが測定される状態となる。電流電極が存在しない場合は、正電圧電極と負電圧電極が電流電極を兼ねた状態となり、いわゆる２電極法で対象物のインピーダンスが測定される状態となる。
一般に２つの電流電極は、正電圧電極と負電圧電極を結ぶ直線上に、正電圧電極と負電圧電極とが、２つの電流電極の間に挟まれた状態となるようにして配置される。
電流電極が存在する場合の水分計における前記磁力発生手段は永久磁石であっても良い。その場合、前記対象物の水分率を測定するために用いられる前記対象物のインピーダンスは、前記電流電極間を流れる前記交流電流が、前記磁力発生手段から前記対象物のより深い方向に向かう方向の力を受けているときの前記インピーダンスのみとされるようになっていてもよい。電流電極が存在する場合においては、それらの間を流れる交流電流の向きによっては、電流電極間を流れる交流電流に、対象物のより浅い方向に向かう力が与えられる場合がある。そのようなときに測定されたインピーダンスを用いて水分率を決定したとすれば、交流電流が対象物の浅い部分にしか存在せず、場合によっては対象物の外に存在することすら考えられるので、電流電極間に交流を流すことによる上述の効果が失われる。他方、電流電極間を流れる交流電流の向きが、磁力発生手段から、電圧電極間を流れる交流電流が前記対象物のより深い方向に向かう方向の力を受けているときのインピーダンスのみを用いて水分率を決定するのであれば、そのような不具合は生じない。
電流電極が存在する場合の水分計における前記磁力発生手段は電磁石であっても良い。その場合の前記磁力発生手段は、前記電流電極間を流れる交流電流と同期させられた交流電流によって前記電流電極間を流れる交流電流に前記対象物のより深い方向に向かう方向の力を常に与えるような磁力を発生させるようになっていてもよい。電磁石に流す電流を直流にすれば当然に、電磁石が生じる磁界は常に一定となるが、電磁石に流す電流を交流にすれば、電磁石が生じる磁界の強さや向きを変化させることができる。磁力発生手段が電磁石であり、その電磁石が電流電極間を流れる交流電流と同期させられた交流電流によって、電流電極間を流れる電流に対象物のより深い方向に向かう方向の力を常に与えるような磁力を発生させるようになっているのであれば、電流電極間を流れる交流電流は常に対象物の深いところに到達できる。この場合であれば、どのタイミングで測定したインピーダンスを用いてでも、対象物の深い部分の水分率を測定できることになる。
【００１０】
本願の水分計は、前記正電圧電極と、前記負電圧電極とが一体とされており、両者を同時に対象物に当接させられるようになっていても良い。そうすることで、水分計で水分率を測定する場合のユーザの作業負担を小さくすることができる。特に、正電圧電極と、負電圧電極の一方を対象物の表面に当接した場合に、その他方も自然に対象物の表面に当接するように正電圧電極と負電圧電極を構成すると、水分計で水分率を測定する場合のユーザの作業負担をより小さくすることができる。そのために、例えば、正電圧電極と負電圧電極の対象物に当接する面を面一にすることができる。
第１磁石と第２磁石を備える本願の水分計は、前記第１磁石と、前記第２磁石とが一体とされており、前記第１磁石のＮ極と、前記第２磁石のＳ極とを同時に対象物に当接させられるようになっていても良い。そうすることで、水分計で水分率を測定する場合のユーザの作業負担を小さくすることができる。特に、第１磁石と、第２磁石の一方を対象物の表面に当接した場合に、その他方も自然に対象物の表面に当接するように第１磁石と第２磁石を構成すると、水分計で水分率を測定する場合のユーザの作業負担をより小さくすることができる。そのために、例えば、第１磁石と第２磁石の対象物に当接する面を面一にすることができる。
正電圧電極と、負電圧電極とを一体にする、或いは第１磁石と第２磁石とを一体にするだけでなく、これらすべてを一体とすることもできる。つまり、本願の水分計は、前記正電圧電極と、前記負電圧電極と、前記第１磁石と、前記第２磁石とが一体とされており、前記正電圧電極と、前記負電圧電極と、前記第１磁石のＮ極と、前記第２磁石のＳ極とを同時に対象物に当接させられるようになっていても良い。これが、水分計で水分率を測定する場合のユーザの作業負担をより小さくすることは自明であろう。前記正電圧電極と、前記負電圧電極と、前記第１磁石のＮ極と、前記第２磁石のＳ極との対象物に接触する面は、面一となっていても良い。こうすると、正電圧電極と、負電圧電極と、第１磁石のＮ極と、第２磁石のＳ極との対象物に接触する面のうちの１つを対象物の表面に当接させると、対象物の表面が平面であることが前提とはなるが、他の３つの面も対象面に当接することになる。
電流電極を備える本願の水分計は、前記正電圧電極と、前記負電圧電極と、２つの前記電流電極とが一体とされており、前記正電圧電極と、前記負電圧電極と、２つの前記電流電極とを同時に対象物に当接させられるようになっていても良い。そうすることで、水分計で水分率を測定する場合のユーザの作業負担を小さくすることができる。特に、正電圧電極と、負電圧電極と、２つの電流電極のうちの１つを対象物の表面に当接した場合に、その他の３つも自然に対象物の表面に当接するように正電圧電極と負電圧電極と、電流電極とを構成すると、水分計で水分率を測定する場合のユーザの作業負担をより小さくすることができる。前記正電圧電極と、前記負電圧電極と、２つの前記電流電極との対象物に接触する面は、面一となっていれば、それら４つの面のうちの１つを対象物の表面に当接させると、対象物の表面が平面であることが前提とはなるが、他の３つの面も対象面に当接することになる。
第１磁石と、第２磁石と、２つの電流電極を備えた本願の水分計は、前記正電圧電極と、前記負電圧電極と、前記第１磁石と、前記第２磁石と、２つの前記電流電極とは一体とされており、前記正電圧電極と、前記負電圧電極と、前記第１磁石のＮ極と、前記第２磁石のＳ極と、２つの前記電流電極とを同時に対象物に当接させられるようになっていても良い。そうすることで、水分計で水分率を測定する場合のユーザの作業負担を小さくすることができる。特に、正電圧電極と、負電圧電極と、第１磁石と、第２磁石と、２つの電流電極のうちの１つを対象物の表面に当接した場合に、その他の５つも自然に対象物の表面に当接するようにこれらを構成すると、水分計で水分率を測定する場合のユーザの作業負担をより小さくすることができる。それを実現するには、例えば、前記正電圧電極と、前記負電圧電極と、前記第１磁石のＮ極と、前記第２磁石のＳ極と、２つの前記電流電極との対象物に接触する面は、面一となっていれば良い。
【００１１】
本願発明者は、本願の水分計と同様の作用効果を生じる以下の方法をも、本願発明の一態様として提案する。
その発明の一例は、水分率の測定対象となる対象物にそれぞれ当接させられるものであり、両者の間のインピーダンスを測定できる２つで一組の電圧電極である、正電圧電極及び負電圧電極を備えており、前記正電圧電極と前記負電圧電極を用いて測定される、前記正電圧電極と前記負電圧電極の間における前記対象物のインピーダンスに基づいて、前記対象物の水分率を測定する方法であって、前記対象物の内部を前記正電圧電極から前記負電圧電極に流れる電流に、当該電流が前記対象物のより深い方向に向かう方向の力を与えるような方向の磁力線を前記対象物の内部に発生させた状態で、前記対象物の水分率を測定する、方法である。
【図面の簡単な説明】
【００１２】
【図１】本発明の水分計の全体の構成を概略的に示す斜視図。
【図２】図１に示した情報処理装置のハードウエア構成を示す図。
【図３】図１に示した情報処理装置の内部に形成される機能ブロックを示すブロック図。
【図４】図１に示したセンサ部の内部構成を概略的に示す図。
【図５】図１に示したセンサ部の平面図。
【図６】図１に示したセンサ部を対象物に当接させた場合の磁力線を概略的に示す断面図。
【図７】図１に示したセンサ部を対象物に当接させた場合に正電圧電極と負電圧電極の間を流れる電流を概略的に示す断面図。
【図８】変形例による水分計のセンサ部の平面図。
【図９】変形例による水分計のセンサ部を対象物に当接させた場合に正電圧電極と負電圧電極の間を流れる電流を概略的に示す断面図。
【発明を実施するための形態】
【００１３】
以下、本発明の実施形態を、図面を参照して説明する。
【００１４】
この実施形態の水分計は、これには限られないが、図１に示したように、情報処理装置１００と、センサ装置２００とを組合せて構成される。
【００１５】
情報処理装置１００はコンピュータであり、これには限られないが、この情報処理装置１００は、携帯可能なものである。情報処理装置１００は、例えば、Ａｐｐｌｅ  Ｊａｐａｎ合同会社が製造、販売を行うｉＰｏｄ  Ｔｏｕｃｈ（商標）等の音楽プレーヤであり、或いは携帯電話やスマートフォンであっても良い。この実施形態の情報処理装置１００は、これには限られないがスマートフォンである。スマートフォンの例としては、Ａｐｐｌｅ  Ｊａｐａｎ合同会社が製造、販売を行うｉＰｈｏｎｅ  ５（商標）を挙げることができる。
【００１６】
情報処理装置１００は、片手で把持できる程度の大きさに構成された、この限りではないが、この実施形態では薄い略直方体形状とされた筐体１０１を備えている。その筐体１０１の一方の面には、ディスプレイ１０２が設けられている。ディスプレイ１０２は、液晶ディスプレイ、有機ＥＬディスプレイ等により構成できるが公知のもので良い。
筐体１０１の、これには限られないがこの実施形態ではその上面には、音声入力端子１０３が設けられている。後述するようにセンサ装置２００で生成された水分率の測定の対象となる対象物の水分率に関連するデータである変換信号は、音声入力端子１０３から情報処理装置１００に入力されるようになっている。なお、情報処理装置１００は、音声入力端子１０３から水分率に関するデータを受付けるようになっている必要は必ずしもない。ＵＳＢ端子や、無線の例えばＢｌｕｅｔｏｏｔｈによる接続により、情報処理装置１００がセンサ装置２００から水分率に関連するデータを受付けるようにすることももちろん可能である。
音声入力端子１０３は、穴状とされており、給電を行う給電端子を有するプラグインパワー型のものであり、極普通に普及しているものと同様の構造が採用されている。給電端子の構成も規格化された極一般的なものであるので、図示、説明とも省略する。音声入力端子１０３は、予定された周波数帯域の信号の入力を受付けられるようになっている。これには限られないが、この実施形態における音声入力端子１０３が受付け可能な信号の周波数帯域は、そのハードウエア構成的に、人間の可聴域の周波数と略一致しており、凡そ２０Ｈｚ〜２００００Ｈｚである。
筐体１０１のディスプレイ１０２が設けられている側の面には、情報処理装置１００の操作のための情報の入力を行うための操作ボタン１０４が設けられている。操作ボタン１０４は、情報の入力を行える限り、テンキー等の他の構成が採用されても構わない。この実施形態の情報処理装置１００は、ディスプレイ１０２がタッチパネルになっておりそこからの入力が可能であるため、操作ボタン１０４は簡素な構成となっている。
【００１７】
筐体１０１内には、図２に示したような構成のハードウエアが内蔵されている。筐体１０１に内蔵されるハードウエアは、ＣＰＵ１１０Ａ、ＲＯＭ１１０Ｂ、ＲＡＭ１１０Ｃ、インターフェイス１１０Ｄ、及びこれらを互いに接続するバス１１０Ｅである。
ＣＰＵ１１０Ａは、演算を行う演算装置である。ＣＰＵ１１０Ａは、例えば、ＲＯＭ１１０Ｂに記録されたプログラムを実行することにより、後述する処理を実行する。なお、情報処理装置１００は、通話機能、電子メール機能等のスマートフォンが通常行える様々な機能を実行するものであっても良いし、この実施形態の情報処理装置１００もそのようなものであるが、ここでいうプログラムは、本願発明の水分計の一部を構成するものとしてこの情報処理装置１００を機能させるためのプログラムである。様々な機能の実行のために、情報処理装置１００には他のプログラムがもちろんインストールされているが、ここでは、この情報処理装置１００を水分計の一部として機能させるためのプログラムに絞って話をする。このプログラムは、情報処理装置１００にプリインストールされていたものであっても良いし、事後的にインストールされたものであっても良い。このプログラムの情報処理装置１００へのインストールは、メモリカード等の所定の記録媒体を介して行なわれても良いし、ＬＡＮ或いはインターネットなどの通信回線を介して行なわれても構わない。
ＲＯＭ１１０Ｂは、ＣＰＵ１１０Ａが後述する処理を実行するために必要なプログラムやデータを記録している。ＲＡＭ１１０Ｃは、ＣＰＵ１１０Ａが処理を行うために必要なワーク領域を提供する。また、ＲＡＭ１１０Ｃには、ＣＰＵ１１０Ａが処理を行った結果生成されたデータが記録されうる。
インターフェイス１１０Ｄは、バス１１０Ｅで接続されたＣＰＵ１１０ＡやＲＡＭ１１０Ｃ等と外部との間でデータのやり取りを行うものである。インターフェイス１１０Ｄには、上述の音声入力端子１０３が接続されており、また、ディスプレイ１０２と、操作ボタン１０４が接続されている。インターフェイス１１０Ｄは、音声入力端子１０３から後述する変換信号を受取り、ディスプレイ１０２に後述する画像データを送り、ディスプレイ１０２と操作ボタン１０４から後述する操作信号を受取るようになっている。
【００１８】
ＣＰＵ１１０Ａがプログラムを実行することにより、情報処理装置１００内には、図３で示されたような機能ブロックが生成される。なお、以下の機能ブロックは、上述のプログラム単体の機能により生成されていても良いが、上述のプログラムと、情報処理装置１００にインストールされたＯＳその他のプログラムとの協働により生成されても良い。
情報処理装置１００内に生成される機能ブロックは、操作信号解析部１１２Ａ、制御部１１２Ｂ、変換信号解析部１１２Ｃ、及びディスプレイ制御部１１２Ｄである。
【００１９】
操作信号解析部１１２Ａは、タッチパネルとしてのディスプレイ１０２と操作ボタン１０４から入力される操作信号を解析する機能を有する。解析された操作信号の内容は、制御部１１２Ｂに送られるようになっている。
制御部１１２Ｂは、情報処理装置１００が、水分計の一部として機能している場合に、情報処理装置１００の制御を行う機能を有している。制御部１１２Ｂが行う制御は、操作信号解析部１１２Ａから送られた操作信号の内容に従って実行されるようになっている。
制御部１１２Ｂは制御信号を生成してそれを、変換信号解析部１１２Ｃ、及びディスプレイ制御部１１２Ｄに送るようになっている。変換信号解析部１１２Ｃ、及びディスプレイ制御部１１２Ｄは、受付けた制御信号に基いて以下の処理を行うようになっている。
【００２０】
変換信号解析部１１２Ｃは、インターフェイス１１０Ｄから受付けた後述する変換信号の内容を解析する。変換信号解析部１１２Ｃはその処理を、制御部１１２Ｂからの指示があったら開始するようになっている。変換信号解析部１１２Ｃは、変換信号から、対象物の水分率を一意に決定できるようになっている。例えば、センシングの対象がユーザの身体の水分率なのであれば、変換信号解析部１１２Ｃは、この変換信号によれば水分率が○○％である、という決定を一意に行う。かかる決定は、変換信号と対象物の性状とを一対一で関係付けたルックアップテーブルを用いて行なっても良いし、何らかのアルゴリズムによる演算によって行なってもよい。変換信号は、後述のように、出力信号に対して、周波数帯域を上げる、周波数帯域を下げる、変調する等の変換を行ったものであるが、変換信号解析部１１２Ｃは、それを変換前の出力信号に戻してから上述の一意の決定を行なってもよい。いずれにせよ、変換信号解析部１１２Ｃは、その変換信号解析部１１２Ｃが含まれる情報処理装置１００と対になったセンサ装置２００から送られてくる変換信号の解析と、上述の一意の決定を行えるようになっている。変換信号解析部１１２Ｃによって解析された、対象物の水分率を一意に特定するデータは、ディスプレイ制御部１１２Ｄに送られるようになっている。
ディスプレイ制御部１１２Ｄは、制御部１１２Ｂから送られてきた制御信号による指示に応じて、ディスプレイ１０２に表示する画像についての画像データを生成する。画像データによりディスプレイ１０２に表示される画像は、動画の場合もあるし、静止画の場合もある。制御部１１２Ｂから送られてくる制御信号は、変換信号解析部１１２Ｃで解析された対象物の水分率を特定するデータに基づく情報をディスプレイ１０２に表示せよ、或いは表示を中止せよ、という指示にかかる場合もあるし、動画、静止画の切換えを求めるものである場合もある。例えば、変換信号解析部１１２Ｃで解析された対象物の水分率についてのデータが刻々と変化するのであれば、制御部１１２Ｂは、対象物の水分率についてのデータによって示される対象物の水分率を示す画像（例えば数値）を刻々と変化させるように動画でディスプレイ１０２に表示せよとディスプレイ制御部１１２Ｄに指示するものである場合もあるし、操作信号で指示された所定のタイミングにおける対象物の水分率をディスプレイ１０２に静止画で表示せよとディスプレイ制御部１１２Ｄに指示するものである場合もある。いずれにせよ、ディスプレイ制御部１１２Ｄはディスプレイ１０２に表示させる画像についての画像信号を生成し、それをインターフェイス１１０Ｄを介してディスプレイ１０２に送るようになっている。そして、画像信号を受け取ったディスプレイ１０２は、かかる画像信号に基づく画像を表示するようになっている。
【００２１】
次に、上述の情報処理装置１００との組合せにより水分計をなすセンサ装置２００の構成について説明する。
【００２２】
センサ装置２００は、フォーンプラグ２１０と、センサ部２２０とを、ケーブル２３０で繋いで構成されている。
フォーンプラグ２１０は一般的なものであり、音声入力端子１０３に差込むことのできるスリーブ２１１と、筒状のプラグ本体２１２とからなる。スリーブ２１１は、音声入力端子１０３に差込むことにより、音声入力端子１０３と接続される。スリーブ２１１から後述する変換信号が音声入力端子１０３に入力できるようになっている。また、スリーブ２１１は、音声入力端子１０３から電力の供給を受けられるようになっている。
ケーブル２３０は、これには限られないが例えばゴム製のチューブ２３１の中に、幾つかの導線を挿入してなる。この実施形態では、チューブ２３１の中には、これには限られないが、変換信号をセンサ部２２０からフォーンプラグ２１０に送るための導線２３２と、電力をフォーンプラグ２１０からセンサ部２２０へ送るための導線２３３とが挿入されている（図４）。
【００２３】
図４に、センサ部２２０の断面図を、図５にセンサ部２２０の平面図をそれぞれ示す。
センサ部２２０は、かならずしもこの限りではないがこの実施形態では筒状、より詳細には円筒形状とされた薄い本体部ケース２２１を備えている。ケース２２１の底面には孔２２１Ａが穿たれており、ケース２２１は、そこでケーブル２３０と接続されている。
また、ケース２２１の上面には、正電圧電極２２３と、負電圧電極２２４が設けられている。正電圧電極２２３と、負電圧電極２２４は、これには限られないが共に円形である。正電圧電極２２３と、負電圧電極２２４は、使用時においては、その図１、図４における上面を対象物に当接した状態で使用される。正電圧電極２２３と、負電圧電極２２４は、この実施形態では、ケース２２１を介して一体となっている。これには限られないが、この実施形態の正電圧電極２２３と、負電圧電極２２４は、その対象物に当接させられる面が面一となっている。
正電圧電極２２３と、負電圧電極２２４は、その間に所定の電圧をかけられる一対の電圧電極であり、両者の間、より正確には両者の間に存在する対象物のインピーダンスを測定するための電極である。対象物の水分率に応じて対象物のインピーダンスが変化するため、対象物のインピーダンスを測定することにより、対象物の水分率を求めることができるわけである。
【００２４】
ケース２２１の内部には、電源回路２２５、インピーダンス検出部２２６、変換回路２２７が設けられている。
電源回路２２５は、導線２３３と接続されており、導線２３３、フォーンプラグ２１０、音声入力端子１０３を介して、情報処理装置１００から電力の供給を受けるようになっている。電源回路２２５は、その電力を、電力を必要とする対象に振り分けつつ供給する機能を有している。この実施形態では、これには限られないが、電源回路２２５は、インピーダンス検出部２２６と変換回路２２７に、それぞれ導線２２５Ａと、導線２２５Ｂを介して電力を供給するようになっている。
インピーダンス検出部２２６は、正電圧電極２２３と負電圧電極２２４にそれぞれ、導線２２６Ａと、２２６Ｂを介して接続されている。インピーダンス検出部２２６は、導線２２６Ａと、２２６Ｂを介して、正電圧電極２２３と負電圧電極２２４に対して所定の電位差の電圧を印加し、それらの間のインピーダンスを検出するようになっている。インピーダンス検出部２２６は、検出したインピーダンスにもとづいて、対象物のインピーダンスに関する信号（これは、つまり対象物の水分率に関する信号である。）である出力信号を生成する。インピーダンス検出部２２６は、その出力信号を、導線２２６Ｃで結ばれている変換回路２２７に、導線２２６Ｃを介して送るようになっている。
【００２５】
変換回路２２７は、基本的に、インピーダンス検出部２１６が生成した出力信号の周波数帯域を、音声入力端子１０３が受付けることのできる周波数帯域に収めるように変換する機能を有している。音声入力端子１０３は、上述のように、それが受付けることのできる信号の周波数帯域が制限されている。つまり、変換回路２２７によって出力信号が変換されたものである変換信号は、導線２３２、フォーンプラグ２１０を介して音声入力端子１０３が受付けることのできるものとなる。
変換回路２２７は、出力信号の周波数を小さくする回路、例えば分周回路を含んでいても良い。変換回路２２７は、また、出力信号の周波数を大きくする回路、例えば逓倍回路を含んでいても良い。変換回路２２７がこれらの回路を含んでいる場合には、出力信号は単純に、周波数を減らされるか、或いは周波数を増やされることにより、変換信号となる。
また、変換回路２２７は、出力信号に変調を生じさせるような回路を含んでいても構わない。その場合、変換回路２２７は、出力信号を変調信号とし、変換信号の周波数帯域が音声入力端子１０３が受付けることのできる周波数帯域に収まる適当な周波数の搬送波を用いて変換を行い、被変調信号としての変換信号を得ることになる。変換回路２２７が行う変調は、振幅変調、周波数変調、位相変調のいずれでも構わない。つまり、変換回路２２７は、出力信号に振幅変調を生じさせる振幅変調回路（例えば、ＡＭ変調回路として知られている。）、出力信号に周波数変調を生じさせる周波数変調回路（例えば、ＦＭ変調回路として知られている。）、出力信号に位相変調を生じさせる位相変調回路（例えば、ＰＭ変調回路として知られている。）の少なくともいずれかを含んでいてもよい。
変換回路２２７が、分周回路等の出力信号の周波数を小さくする回路、逓倍回路等の出力信号の周波数を大きくする回路、ＡＭ変調回路等の出力信号に振幅変調を生じさせる振幅変調回路、ＦＭ変調回路等の出力信号に周波数変調を生じさせる周波数変調回路、ＰＭ変調回路等の出力信号に位相変調を生じさせる位相変調回路のいずれを含むかは、インピーダンス検出部２２６が出力する出力信号の周波数帯域の大小、出力信号がそもそも変調信号であるか否か、水分計を用いたセンシングで応答性能の良さがどの程度求められるか、センシングの精度がどの程度求められるかなどの事情に応じて、適当に選択すれば良い。上記３種類の変調回路は、２種類以上組合せられても構わない。
例えば、出力信号の周波数帯域が音声入力端子１０３が受付けられる周波数帯域よりも相対的に高い場合には、分周回路等の出力信号の周波数を小さくする回路を用いて、その周波数帯域を下げれば良い。逆に、インピーダンス検出部２２６からの出力信号の周波数帯域が音声入力端子１０３が受付けられる周波数帯域よりも相対的に低い場合には、逓倍回路等の出力信号の周波数を大きくする回路を用いて、その周波数帯域を上げれば良い。
また、一般に、振幅変調回路を用いれば、センシングの精度ないし分解能は下がるが、占有帯域幅を小さくすることができる。周波数変調回路を用いれば、応答性は悪くなるが、センシングの精度ないし分解能は上がる。変換信号の占有帯域幅を狭くしたいという事情があれば、位相変調回路を用いるのが良い。そのようなことを考慮して、上述の３つの変調回路のいずれを用いるか決定することができる。もっとも、出力信号が変調信号である場合には、変調回路を使わなければならない理由は大きくないかもしれない。
以上で述べた変調は主に、アナログ変調に関するものであったが、変調は、アナログ変調に限らず、デジタル変調、或いはパルス変調であってもよい。デジタル変調としては、位相偏移変調 （例えば、ＰＳＫとして知られる。)、周波数偏移変調（例えば、ＦＳＫとして知られる。）、振幅偏移変調（例えば、ＡＳＫとして知られる。）、直角位相振幅変調（例えば、ＱＡＭとして知られる。）を用いることができる。パルス変調としては、例えば、パルス符号変調（ＰＣＭ）、パルス幅変調（ＰＷＭ）、パルス振幅変調（ＰＡＭ）、パルス位置変調（ＰＰＭ）、パルス密度変調（ＰＤＭ）を用いることができる。
必要に応じて、アナログデジタル変換器、又はデジタルアナログ変換器を変換回路に設けることももちろん適宜行ってよい。変換信号は、アナログ信号でもデジタル信号でも良い。
以上で説明した回路はすべて公知或いは周知であるから、それぞれについての詳しい説明は省略する。
【００２６】
ケース２２１の図１、図４における上面には、第１磁石２２８と、第２磁石２２９とが取付けられている。第１磁石２２８と第２磁石２２９は、この実施形態ではともに永久磁石であり、ともにその表面が対象物に当接した状態の正電圧電極２２３から負電圧電極２２４に向かって対象物の中を流れる電流に、その電流が対象物の中のより深い方向に向かう方向の力（ローレンツ力）を与えるような方向の磁力線を、対象物の内部に発生させるためのものである。
この実施形態では、第１磁石２２８と、第２磁石２２９はともに、この限りではないが円板状である。第１磁石２２８と第２磁石２２９はともに、この限りではないが、ケース２２１の図１、図４における上側に穿たれた孔２２１Ｂ、２２１Ｃに嵌め込まれた状態で、ケース２２１に固定されている。したがって、この実施形態では、第１磁石２２８と第２磁石２２９は、ケース２２１を介して一体とされている。
第１磁石２２８と、第２磁石２２９は、その一方の面が、ケース２２１の表面に露出している。第１磁石２２８と第２磁石２２９は、その一方の面の表面が面一となっている。これには限られないが、この実施形態の第１磁石２２８と第２磁石２２９の一方の面は、正電圧電極２２３と、負電圧電極２２４の対象物に当接させられる面とも面一となっている。
第１磁石２２８の一方の面はＮ極であり、その裏面である他方の面はＳ極となっている。第２磁石２２９の一方の面はＳ極であり、その裏面である他方の面はＮ極となっている。第１磁石２２８のＮ極と第２磁石２２９のＳ極を対象物に当接させると、対象物の中にＮ極からＳ極に向かう磁力線が生じる。このとき生じる磁力線は、対象物の中で、正電圧電極２２３から負電圧電極２２４に向かう線の中程で、後述するように、対象物を平面視した場合に当該線に右から直交する。
【００２７】
次に、情報処理装置１００と、センサ装置２００の組合せにより構成される水分計の使用方法、動作について説明する。
水分計を構成するために、ユーザは、センサ装置２００のフォーンプラグ２１０のスリーブ２１１を、図１に示したようにして、情報処理装置１００の音声入力端子１０３に挿入する。すると、音声入力端子１０３とスリーブ２１１が導通するとともに、音声入力端子１０３の給電端子と、スリーブ２１１の受電端子が導通する。
受電端子が給電端子から得た電力は、電源回路２２５から、インピーダンス検出部２２６と変換回路２２７とに供給される。インピーダンス検出部２２６と変換回路２２７とはそれにより駆動できるようになる。インピーダンス検出部２２６が駆動することで、水分計は対象物の水分率を検出できる状態となる。
【００２８】
次に、ユーザは、情報処理装置１００のディスプレイ１０２にタッチするなどして、情報処理装置１００内の、この情報処理装置１００を水分計の一部として機能させるためのプログラムを立ち上げる。これにより、図３に示した機能ブロックが情報処理装置１００の中に生成される。
【００２９】
次に、ユーザは、例えば情報処理装置１００に接続されたセンサ装置２００のセンサ部２２０を持ち、図１、図４におけるその上面を対象物に押し付ける。この場合の対象物は水分率の測定となる対象であれば特に限定はないが、この実施形態では取り敢えず人体であるものとする。
ユーザは、センサ部２２０を自ら或いは他人の例えば腕に押し付ける。
すると、ユーザ等の腕に、それらすべてが面一である、センサ部２２０にある第１磁石２２８、第２磁石２２９、正電圧電極２２３、負電圧電極２２４の表面がすべて当接する。なお、これらをまとめてユーザの身体の表面に当接させ易くするには、ユーザ等の上腕の肘から先の部分の内側や、ユーザ等の太もも、腹、背など、ある程度面積が広く平面状である部分に、センサ部２２０を当接させると良い。
【００３０】
まず、第１磁石２２８と、第２磁石２２９がユーザの身体に当接した状態となると、ユーザの身体の中に、図６に示したように、第１磁石２２８のＮ極から第２磁石２２９のＳ極へと向かう磁力線Ｂが生じる。もっとも、第１磁石２２８と、第２磁石２２９との間には、第１磁石２２８のＮ極から第１磁石２２８のＳ極に向かうもの、第２磁石２２９のＮ極から第２磁石２２９のＳ極か、第１磁石のＳ極に向かうものもあるが、図６ではこれらを省略している。
また、正電圧電極２２３と、負電圧電極２２４の間では、前者から後者の間に、図７で示したように、電流Ｉが流れる。この電流は、本来あまり深いところを流れず、例えば、破線で示した程度の深さを流れるのであるが、電流Ｉの周辺、特には正電圧電極２２３と負電圧電極２２４の中間部分近辺には、記号Ｂで示されたように、図７における紙面に垂直で紙面の手前から奥向きの（正電圧電極２２３と、負電圧電極２２４の中心以外では、少なくともその方向の成分を持つ向きの）磁力線が存在している。したがって、電流Ｉには図７における下向きのローレンツ力Ｆが働き、対象物のより深いところ、例えば実線で示したところを電流Ｉが流れることになる。
【００３１】
かかる電流に基づいて、インピーダンス検出部２２６は対象物たる人体のインピーダンスを検出し、出力信号を生成する。出力信号は、変換回路２２７に送られる。変換回路２２７に送られた出力信号は、変換回路２２７で変換され変換信号となる。変換信号は、導線２３２を経て、フォーンプラグ２１０のスリーブ２１１に至り、スリーブ２１１にから音声入力端子１０３を経て、情報処理装置１００内の変換信号解析部１１２Ｃに受取られる。
変換信号解析部１１２Ｃは受付けた変換信号の内容を解析し、変換信号が示す肌の水分率を一意に決定する。変換信号解析部１１２Ｃは、その内容をディスプレイ制御部１１２Ｄに送る。
ディスプレイ制御部１１２Ｄは、その内容に応じた画像をディスプレイ１０２に表示させるための画像データを生成して、その画像データをディスプレイ１０２に送る。その内容は、例えば、身体の水分率を示す数値だけでも構わないが、肌の水分率を示す数値に加え、脱水症状が起こる可能性についてのコメントや、そのような内容を示すイラストや記号などであっても、或いはそれらと数値が含まれたものであっても良い。
【００３２】
なお、以上の例ではインピーダンスの検出をセンサ装置２００内のインピーダンス検出部２２６でインピーダンスを検出することとしていた、つまりインピーダンスの検出を、情報処理装置１００ではなく、センサ装置２００内で行うこととしていた。もっともこれはこの限りではなく、インピーダンスの検出は情報処理装置１００側で行っても良い。その場合には、正電圧電極２２３と、負電圧電極２２４との間の電位差についてのデータを、変換回路２２７で変換してから、上述の実施形態の場合と同様にして、情報処理装置１００に送れば良い。これは以下の変形例でも同様である。
【００３３】
次に、以上の実施形態の水分計の変形例について説明する。
＜変形例１＞
変形例１の水分計は、殆ど以上の実施形態の水分計と同じである。唯一異なるのは、そのセンサ部２２０に、後述する電流電極が設けられている、という点である。
図８に示したように、電流電極２５０は、２つある。電流電極２５０は、正電圧電極２２３と、負電圧電極２２４を結んだ線上の、正電圧電極２２３と、負電圧電極２２４の外側に配置される。正電圧電極２２３からその外側の電流電極２５０までの距離と、負電圧電極２２４からその外側の電流電極２５０までの距離は、これには限られないが同じとなっている。また、これには限られないが、両電流電極２５０の形状は円形であり、またこれには限られないが、両電流電極２５０の大きさは、正電圧電極２２３と、負電圧電極２２４と同じとなっている。
この実施形態の電流電極２５０は、センサ部２２０のケース２２１に固定されており、ケース２２１を介して一体となっている。両電流電極２５０のケース２２１から露出している面は、それらすべてが面一となっている、第１磁石２２８、第２磁石２２９、正電圧電極２２３、負電圧電極２２４の表面と面一となっている。
【００３４】
センサ部２２０をユーザ或いはユーザ以外の人間の身体に当接させた場合、電流電極２５０の間には、図９に示したように、交流の電流Ｉ〜が流れることになる。それが可能なように、この変形例のケース２２１の内部には、電源回路２２５から電力の供給を受け、交流電流を発生させ、電流電極２５０に交流電流を供給する交流電流発生回路が配されている。
電流電極２５０は、正電圧電極２２３と、負電圧電極２２４を挟んでいるので、正電圧電極２２３と、負電圧電極２２４の間を流れる電流は、その交流の電流Ｉ〜が流れている状態を流れることになり、インピーダンス検出部２２６は、交流の電流Ｉ〜が流れている中での対象物のインピーダンスを測定することになる。
このような４つの電極を用いてインピーダンスを検出する方法は４電極法と呼ばれるものであり、広く知られているように、その測定の精度が高い。
電流電極２５０が存在する場合、インピーダンス検出部２２６は、本願でいう対象物に相当する人間の体の水分率を測定するために用いられる対象物のインピーダンスとして、２つの電流電極２５０間を流れる交流電流が、磁界から人間の身体のより深い方向に向かう方向の力を受けているときのインピーダンスのみを用いるようになっていても良い。
これを達成する方法の第１として、例えば、時分割を上げることができる。２つの電流電極２５０間を流れる交流電流は、その電流の向きが交互に変わるので、永久磁石である第１磁石２２８と、第２磁石２２９との間に作られる固定の磁界から、人間の身体のより深い方向に向かう力と人間の身体のより浅い方向に向かう力を交互に受けることになる。インピーダンス検出部２６２は、交流電流の向きの変換と同期させたタイミング信号を用いて、２つの電流電極２５０間を流れる交流電流が、磁界から人間の身体のより深い方向に向かう力を受けているそのタイミングにのみ、インピーダンスの検出を行うことができる。
また、これを達成する方法の第２として、周波数帯域による制限を上げることができる。２つの電流電極２５０間を流れる交流電流は、その電流の向きが一定の周波数で交互に変わる。インピーダンス検出部２６２は、例えば、ハードウエアとしてバンドパスフィルタを用いる等して、２つの電流電極２５０間を流れる交流電流の周波数と同じ周波数で変化する電位差のみに基いて、インピーダンスを検出することができる。これにより、交流電流の周波数とは異なるタイミングで変化する人間の身体内に自然に発生する電位差等に基づくノイズを除去することができる。
＜変形例２＞
変形例２の水分計は、殆ど以上の変形例１の水分計と同じである。変形例２の水分計も、変形例１の場合と同様の２つの電流電極２５０を備えている。
他方、変形例２の水分計は、変形例１の水分計が備えていた第１磁石２２８と第２磁石２２９を備えていない。その変わり変形例２の水分計は、変形例１の水分計が備えていなかった電磁石を備えている。変形例２の水分計では、第１磁石２２８と第２磁石２２９を用いて人間の体内に磁界を作っていた変形例１の水分計とは異なり、この電磁石で、人間の体内に磁界を作るようになっている。そして、電磁石には、交流電流が流される。電磁石に流される交流電流の周波数は、２つの電流電極２５０の間に流される交流電流と同じ周波数とされ、両者は互いに同期させられている。電磁石に交流電流を流すと、電磁石が作り出す磁界は、交流電流と同期して、その向きを交互に１８０°変える。そして、この電磁石が作り出す磁界は、２つの電流電極２５０間を流れる交流電流に対して、本願で言う対象物に相当する人間の身体のより深い方向に向かう方向の力を常に与えるようなものとされるようになっている。これにより、インピーダンス検出部２６２がどのタイミングでインピーダンスを検出したとしても、検出されたインピーダンスはノイズが少ないものとなる。
【符号の説明】
【００３５】
１００  情報処理装置
１０１  筐体
１０２  ディスプレイ
１０３  音声入力端子
１１０Ａ  ＣＰＵ
１１０Ｂ  ＲＯＭ
１１０Ｃ  ＲＡＭ
１１０Ｄ  インターフェイス
１１０Ｅ  バス
１１２Ａ  操作信号解析部
１１２Ｂ  制御部
１１２Ｃ  変換信号解析部
１１２Ｄ  ディスプレイ制御部
２１０  フォーンプラグ
２１１  スリーブ
２１２  プラグ本体
２２０  センサ部
２２１  ケース
２２３  正電圧電極
２２４  負電圧電極
２２５  電源回路
２２６  インピーダンス検出部
２２７  変換回路
２３０  ケーブル
２５０  電流電極
【図１】
2016063860.tif 000003
【図２】
2016063860.tif 000004
【図３】
2016063860.tif 000005
【図４】
2016063860.tif 000006
【図５】
2016063860.tif 000007
【図６】
2016063860.tif 000008
【図７】
2016063860.tif 000009
【図８】
2016063860.tif 000010
【図９】
2016063860.tif 000011